(57)【要約】【課題】  電子表示装置の情報表示部は、電子書籍の書誌的な情報を表示するが、電子表示装置の使用者が電子書籍を使用した読書履歴などの情報は表示されないため、読書記録などが必要な場合は、使用者自身で他の媒体などに記録する必要があった。【解決手段】  電子表示装置は、電子書籍の本文を表示する本文表示部と、当該電子表示装置が操作された履歴を記憶する操作履歴記憶部と、当該履歴に基づいて電子書籍の使用状況に関する情報を生成する情報生成部と、当該情報を表示する情報表示部とを備える。【選択図】図４
2005275547.tif 000002
【特許請求の範囲】
【請求項１】
電子書籍の本文を表示する電子表示装置であって、
当該本文を表示する本文表示部と、
当該電子表示装置が操作された履歴を記憶する操作履歴記憶部と、
当該履歴に基づいて電子書籍の使用状況に関する情報を生成する情報生成部と、
当該情報を表示する情報表示部とを備えることを特徴とする電子表示装置。
【請求項２】
請求項１に記載の電子表示装置において、
前記情報表示部で表示する前記情報は、前記本文表示部で前記本文が表示された時間に関する情報、前記本文表示部で表示される前記本文の位置に関する情報および前記本文表示部で前記本文を表示可能な期限に関する情報のうちの少なくとも一つ以上を含むことを特徴とする電子表示装置。
【請求項３】
請求項１乃至２のいずれかに記載の電子表示装置において、
前記情報表示部は、前記本文に対応付けた書誌的事項を更に表示することを特徴とする電子表示装置。
【請求項４】
請求項１乃至３のいずれか一項に記載の電子表示装置において、
前記情報表示部は、前記本文表示部が設けられた面とは異なる面に設けられていることを特徴とする電子表示装置。
【請求項５】
請求項１乃至４のいずれか一項に記載の電子表示装置において、
前記電子表示装置は、開閉可能に結合された第１の筐体と第２の筐体とを更に備え、
前記本文表示部は、当該２つの筐体の少なくとも一方の側にあって、当該２つの筐体が閉じた状態での内側に設けられていることを特徴とする電子表示装置。
【請求項６】
請求項５に記載の電子表示装置において、
前記情報表示部は、前記第１の筐体および前記第２の筐体が閉じられているときに、外部から視認可能であることを特徴とする電子表示装置。
【請求項７】
請求項１乃至６のいずれか一項に記載の電子表示装置において、
前記本文表示部および前記情報表示部の少なくとも一方は、電力非供給時に表示内容を保持する記憶性を有することを特徴とする電子表示装置。
【請求項８】
請求項１乃至７のいずれか一項に記載の電子表示装置において、
前記電子表示装置は、電池により駆動すると共に、当該電池の残量を検出する電池残量検出部を更に備え、前記情報表示部は、当該電池残量検出部が検出した当該残量を更に表示することを特徴とする電子表示装置。
【請求項９】
請求項１乃至８のいずれか一項に記載の電子表示装置において、
前記電子表示装置は、記憶媒体に情報を保存する情報保存部を更に備え、
前記情報保存部は、前記情報表示部で表示する前記情報を、当該記憶媒体に保存することを特徴とする電子表示装置。
【発明の詳細な説明】
【技術分野】
【０００１】
本発明は、電子的に記録されている書籍の内容を表示する電子表示装置に関する。
【背景技術】
【０００２】
従来、電子書籍を表示する電子表示装置は、下記の特許文献１に記載のように、筐体の本文表示部とは異なる面に情報表示部を設け、情報表示部では、電子書籍の書籍の題名、著者、出版社などの書誌的事項を表示していた。
【０００３】
【特許文献１】特開２００２−１０８２５４
【発明の開示】
【発明が解決しようとする課題】
【０００４】
しかしながら、情報表示部で表示される情報は、電子書籍の書誌的な情報であり、電子表示装置の使用者が電子書籍を使用した読書履歴などの情報は記録されないため、読書記録などが必要な場合は、使用者自身で他の媒体などに記録する必要があった。
【課題を解決するための手段】
【０００５】
上記した課題を解決するために、本発明の電子表示装置は、電子書籍の本文を表示する電子表示装置であって、当該本文を表示する本文表示部と、当該電子表示装置が操作された履歴を記憶する操作履歴記憶部と、当該履歴に基づいて電子書籍の使用状況に関する情報を生成する情報生成部と、当該情報を表示する情報表示部とを備えることを特徴とする。
【０００６】
上記構成によれば、電子書籍の使用状況に関する情報は、電子表示装置の情報表示部で表示されるため、電子表示装置の使用者は、情報表示部を参照することで、電子書籍の読書履歴に関する情報を得ることが出来る。
【０００７】
上記した本発明の電子表示装置では、前記情報表示部で表示する前記情報は、前記本文表示部で前記本文が表示された時間に関する情報、前記本文表示部で表示される前記本文の位置に関する情報および前記本文表示部で前記本文を表示可能な期限に関する情報のうちの少なくとも一つ以上を含むことが好ましい。
【０００８】
上記した本発明の電子表示装置では、前記情報表示部は、前記本文に対応付けた書誌的事項を更に表示することが好ましい。
【０００９】
上記構成によれば、情報表示部は、電子表示装置の使用者の読書履歴に関する情報に加えて、電子書籍の本文に対応した書誌的事項も表示するため、情報表示部を参照することで、電子書籍の書誌的情報も同時に得ることが出来る。
【００１０】
上記した本発明の電子表示装置では、前記情報表示部は、前記本文表示部が設けられた面とは異なる面に設けられていることが好ましい。
【００１１】
また、上記した本発明の電子表示装置は、開閉可能に結合された第１の筐体と第２の筐体とを更に備え、前記本文表示部は、当該２つの筐体の少なくとも一方の側にあって、当該２つの筐体が閉じた状態での内側に設けられていることが好ましい。
【００１２】
更に、上記した本発明の電子表示装置では、前記情報表示部は、前記第１の筐体および前記第２の筐体が閉じられているときに、外部から視認可能であることが好ましい。
【００１３】
上記構成によれば、電子表示装置の本文表示部は、本文表示部を使わない際には２つの筐体の内部に隠れるため、本文表示部を容易に保護できる。加えて、情報表示部は、本文表示部を使わない際も外部から視認可能であるため、電子書籍に関する情報を容易に得ることができる。
【００１４】
上記した本発明の電子表示装置では、前記本文表示部および前記情報表示部の少なくとも一方は、電力非供給時に表示内容を保持する記憶性を有することが好ましい。
【００１５】
上記構成によれば、電子表示装置の表示部は、電力を消費することなく表示内容を保持するため、電子表示装置の消費電力を押さえることができる。
【００１６】
上記した本発明の電子表示装置は、前記電子表示装置は、電池により駆動すると共に、当該電池の残量を検出する電池残量検出部を更に備え、前記情報表示部は、当該電池残量検出部が検出した当該残量を更に表示することが好ましい。
【００１７】
上記構成によれば、電子表示装置を駆動する電池の交換の時期を、容易に知ることが出来る。
【００１８】
上記した本発明の電子表示装置では、前記電子表示装置は、記憶媒体に情報を保存する情報保存部を更に備え、前記情報保存部は、前記情報表示部で表示する前記情報を、当該記憶媒体に保存することが好ましい。
【００１９】
上記構成によれば、記憶媒体に保存された情報は、電子表示装置以外の他の機器で利用できる。
【発明を実施するための最良の形態】
【００２０】
以下、本発明の実施形態について、電子表示装置の一例として、所定のページに区切られた電子書籍の内容を閲覧するための電子ブックリーダを用いて説明する。
【実施例】
【００２１】
図１は、本発明の実施例に係る電子ブックリーダ１の外観上の構成を示す外観構成図であり、この図１を用いて電子ブックリーダ１の外観構成を説明する。電子ブックリーダ１は、書籍としての表紙に該当する第１の筐体１０Ａと、書籍としての裏表紙に該当する第２の筐体１０Ｂとが、背表紙部５０を介して開閉可能に結合されている。
第１の筐体１０Ａおよび第２の筐体１０Ｂの内側には、電子書籍の本文を表示する本文表示部２０と、電子ブックリーダ１を操作する操作ボタン４０とを備える。また、第１の筐体１０Ａの外側、即ち、書籍の表紙に該当する面の略中央には、電子書籍の書誌的情報および電子書籍の使用状況に関する情報を表示する第１の情報表示部３０Ａを備える。更に、背表紙部５０には、電子書籍のタイトルおよび著者名などを表示する第２の情報表示部３０Ｂと、記憶媒体１００から電子書籍のデータを読み込む外部記憶装置１１０とを備える。第１の情報表示部３０Ａおよび第２の情報表示部３０Ｂは、第１の筐体１０Ａと第２の筐体１０Ｂとが閉じた状態においても、外部から表示内容を視認できる。
【００２２】
図２は、電子ブックリーダ１を開いて、本文表示部２０正面側からの電子ブックリーダ１の外観を示す外観図である。図２に示すように、電子ブックリーダ１は、２つの本文表示部２０を備える。一方の本文表示部２０Ｂは、図１で示したように、第２の筐体１０Ｂが閉じた状態での内側に備わり、他方の本文表示部２０Ａは、第１の筐体１０Ａが閉じた状態での内側に備わる。２つの本体表示部（２０Ａ、２０Ｂ）は、電子書籍の本文をページで区切って表示する。
また、第１の筐体１０Ａおよび、第２の筐体１０Ｂの内側には、操作ボタン４０（４０Ａ〜４０Ｆ）を備える。これらの操作ボタン（４０Ａ〜４０Ｆ）は、電子ブックリーダ１を操作するための機能が割り付けられている。電子ブックリーダ１の使用者は、これらの操作ボタン（４０Ａ〜４０Ｆ）を操作することで、電子ブックリーダ１の起動および終了、電子ブックリーダ１で表示する電子書籍の選択および外部記憶装置１１０からの電子書籍の読み込み、電子書籍の本文のページ操作などを実行できる。
【００２３】
図３は、電子ブックリーダ１のハードウェア構成を示すブロック図である。図３に示すように、電子ブックリーダ１は、ＣＰＵ（Central  Processing  Unit）１５１、ＲＡＭ（Random  Access  Memory）１５２、ＲＯＭ（Read  Only  Memory）１５３、操作ボタン４０、操作ボタン４０が接続されたＩ／Ｏ(Input Output)１５４、ＶＲＡＭ（Video  RAM）１５５、ディスプレイコントローラ１５６、フラッシュメモリ１５７、第１の電気泳動表示体２１１、第２の電気泳動表示体２２１、第３の電気泳動表示体２３１、電池残量検出回路１８１、記憶媒体ドライブ１１１及び筐体開閉検出回路１８６で構成される。この中で、操作ボタン４０、第１の電気泳動表示体２１１、第２の電気泳動表示体２２１および第３の電気泳動表示体２３１を除く各部はバス１９０で互いに信号を授受可能に接続されている。
【００２４】
ＣＰＵ１５１は、ＲＯＭ１５３に格納された基本制御プログラムやアプリケーションプログラムなどの各種プログラム及びデータを読み込み、それら各種プログラム及びデータをＲＡＭ１５２内に設けられるワークエリアに展開実行して、電子ブックリーダ１が備える各部の制御を実行する。
ディスプレイコントローラ１５６は、ＣＰＵ１５１からの指示に従って、ＶＲＡＭ１５５に格納されたデータを、第１の電気泳動表示体２１１、第２の電気泳動表示体２２１および第３の電気泳動表示体２３１に振り分けて表示させる。ここで、第１の電気泳動表示体２１１、第２の電気泳動表示体２２１および第３の電気泳動表示体２３１は、それぞれ、本文表示部２０、第１の情報表示部３０Ａおよび第２の情報表示部３０Ｂの表示手段として機能する。
フラッシュメモリ１５７は、ＣＰＵ１５１からの指示に従って、転送されるデータを記憶する記憶手段である。転送されるデータは、具体的には電子書籍の本文、本文に対応付けた書誌的事項および本文表示部２０で表示した時間を含む表示履歴に関する情報である。
【００２５】
ここで、電気泳動方式の表示体について図示を略して概説する。電気泳動方式の表示体は、電位差による電気泳動により移動する性質を有する有機あるいは無機の粒子（電気泳動粒子）が内部に封入されたマイクロカプセルを、２種類の色にそれぞれ着色して表示体の透明電極を有する基板間に混入させて製造する。製造された表示体に対して、透明電極から電圧印加することによって、電気泳動粒子は一方の電極上に堆積するため、マイクロカプセルは同一方向に揃う。従って、表示体の観察者は、マイクロカプセル上に着色された一方の色を見ることになる。また、透明電極の印加電圧を逆極とすることで、マイクロカプセルは他方の向きとなるため、表示体の観察者は、マイクロカプセル上に着色された他方の色を見ることになる。更に、電圧印加により整列したマイクロカプセルは、印加した電圧を解除されても、双方の整列方向が安定して維持されるため、表示体における表示内容は保持される。
従って、電気泳動方式の表示体は、表示信号と、駆動電圧とが供給されることで、表示信号に従った表示を行い、以降、表示体の表示内容は、表示信号および駆動電圧が与えられなくても保持される。
【００２６】
また、電池残量検出回路１８１は、後述する電池残量検出部１８０を構成し、Ａ／Ｄコンバータおよび演算器などを備え、電子ブックリーダ１を駆動する電池の残量を、電池の電圧変化から検出する。更に、筐体開閉検出回路１８６は、後述する筐体開閉検出部１８５を構成し、接点スイッチを備え、第１の筐体１０Ａと第２の筐体１０Ｂとの開閉状態を接点スイッチで検出する。
【００２７】
また、記憶媒体ドライブ１１１は、外部記憶装置１１０を構成し、電子書籍が記録された記憶媒体１００から、電子書籍のデータを読み取る。また、記憶媒体１００に対して情報を書き込み保存する情報保存部としても機能する。ここで、記憶媒体１００は、スマートメディア、コンパクトフラッシュ（登録商標）、メモリスティック、マルチメディアカード、マイクロドライブ、ＳＤカードなどのあらゆる着脱可能な記憶媒体を適用できる。
【００２８】
上記した電子ブックリーダ１のハードウェア資源と、ＲＯＭ１５３などに記憶されたソフトウェアとが有機的に協働して、後述する機能を実現している。
【００２９】
図４は、電子ブックリーダ１の機能構成を示す概略構成図である。図４に示すように、電子ブックリーダ１は、ブックデータ記憶部１２０、本文生成部１３０、操作入力部１４０、制御部１５０、操作履歴記憶部１６０、電池残量検出部１８０、筐体開閉検出部１８５、情報生成部１７０、本文表示部２０、第１の情報表示部３０Ａ、第２の情報表示部３０Ｂおよび外部記憶装置１１０で構成される。
【００３０】
上記構成において、ブックデータ記憶部１２０は、外部記憶装置１１０から読み込んだ電子書籍のデータが記憶されている。この電子書籍のデータとは、電子書籍の本文である本文データ１２１と、当該本文に対応付けた書誌的事項である書誌情報１２２とで構成される。
【００３１】
制御部１５０は、操作入力部１４０から使用者により入力された操作指示に従い、電子ブックリーダ１の各機能を制御する。例えば、使用者が操作入力部１４０から本文表示操作を行った場合、制御部１５０は、表示すべき個所の情報を含む本文表示信号を生成し、本文生成部１３０に送信する。この信号を受けて本文生成部１３０は、ブックデータ記憶部１２０に記憶された本文データ１２１の中から表示すべき個所を読み込み、本文表示部２０で表示する信号を生成し、本文表示部２０に送信する。本文表示部２０は、この信号を受信して表示する。加えて、制御部１５０は、使用者が操作入力部１４０から操作した履歴に関する情報を操作履歴記憶部１６０に保存させる。
更に、制御部１５０は、筐体開閉検出部１８５により検出されて信号化された２つの筐体（１０Ａ，１０Ｂ）の開閉信号に基づいて、各機能を制御すると共に、筐体の開閉履歴に関する情報を生成し、操作履歴記憶部１６０に保存させる。なお、操作入力部１４０に対して一定時間を超えて操作の入力が無い場合、制御部１５０は、筐体が閉じられたと判断する。
【００３２】
次に、情報生成部１７０は、操作履歴記憶部１６０に保存された操作履歴に関する情報から、電子書籍の使用状況に関する情報を生成して、情報表示部３０Ａに表示する。ここで、電子書籍の使用状況に関する情報とは、即ち、使用者の読書履歴に関する情報でもあり、具体的には、本文表示部で本文が表示された時間に関する情報、本文表示部で表示される本文の位置に関する情報および本文表示部で本文が表示可能な期限に関する情報などである。図５は、情報表示部３０Ａで表示する表示例を示す図である。
【００３３】
これらの項目の中で、情報生成部１７０が生成した項目は、例えば、読書開始日、累積読書時間、現在開いているページ情報、読書有効期限、メモなどである。これらの内、読書開始日は、ブックデータ記憶部１２０に記憶された電子書籍データを、初めて本文表示部２０に本文を表示した日であり、操作履歴に関する情報から求めることができる。
【００３４】
また、累積読書時間は、筐体の開閉履歴に関する情報から、筐体が開いていた時間を積算することで求めることが出来る。更に、現在開いているページ情報は、操作履歴記憶部１６０に保存されたページ操作履歴から現在表示されているページを求めることができる。
また、読書有効期限とは、読書開始日から起算して、この電子書籍を読むことが出来る最終日であり、この日を越えると、再度、ブックデータ記憶部１２０に電子書籍データを記憶させない限り、電子ブックリーダ１での本文の表示ができなくなる。
また、電子ブックリーダ１の使用者により、操作入力部１４０から入力された情報は、操作履歴記憶部１６０に保存されるため、操作入力部１４０から入力した簡単な文章は、メモとして情報表示部３０Ａに表示できる。
【００３５】
更に、情報生成部１７０は、電池残量検出部１８０から得られる電池の残量に関する信号から、電池残量に関する情報を生成して、情報表示部３０Ａに表示する。即ち、電池残量検出部１８０は、電池残量検出回路１８１が検出した電子ブックリーダ１の駆動用電池の残量から、電池の残量を数値化した信号を生成して情報生成部１７０に送る。情報生成部１７０は、この信号に基づいて、電池の残量を情報表示部３０Ａに棒グラフのような形で表示する。また、情報生成部１７０は、電池の残量が、所定の残量以下になった場合は、電池の交換を求めるメッセージを情報表示部３０Ａに表示する。
【００３６】
加えて、情報生成部１７０は、ブックデータ記憶部１２０に記憶された電子書籍データの内、書誌情報１２２を読み込み、書誌的事項に関する情報を生成して情報表示部３０Ａに表示する。表示する項目としては、例えば、表示している電子書籍のタイトル名、電子書籍の著者、電子書籍の出版会社、電子書籍の総ページ数などである。
【００３７】
図４に戻り、情報表示部３０Ｂは、情報表示部３０Ａで表示する書誌的事項に関する情報のうち、例えば、表示している電子書籍のタイトル名や電子書籍の著者のように、一般的な書籍の背表紙に表示される情報を表示する。
外部記憶装置１１０は、情報生成部１７０が生成して情報表示部３０Ａで表示した情報を、記憶媒体１００に保存する。記憶媒体１００上に保存された情報は、コンピュータなどの情報機器による読み取りが可能である。
【００３８】
なお、本文表示部２０および情報表示部（３０Ａ、３０Ｂ）で表示された表示内容と、操作履歴記憶部１６０に保存された操作履歴に関する情報とは、ブックデータ記憶部１２０に記憶されている電子書籍のデータを更新する際に、制御部１５０からの指示により消去される。
【００３９】
前述のような実施例によれば、次のような効果がある。
（１）電子書籍の有効期限が情報表示部３０Ａに表示されるため、利用者は、電子書籍の有効期限内で読書が完了するように、計画的な読書ができる。
（２）本文表示部２０、情報表示部３０、ブックデータ記憶部１２０および操作履歴記憶部１６０は、供給する電源を遮断しても表示内容および記憶内容は保持されるため、読書途中でも電池を交換できる。
（３）情報表示部３０Ａで表示した情報は、記憶媒体１００を介して他の情報機器に転送できるため、他の情報機器で読書記録を管理できる。
【００４０】
なお、本発明は前記した実施例に限定されるものではなく、本発明の目的を達成できる範囲での変形や改良は、本発明に含まれるものである。
例えば、電子書籍の任意のページを表示している場合、操作入力部１４０からの操作により、操作履歴記憶部１６０に保存されたページを瞬時に呼び出す栞機能を追加しても良い。
【００４１】
また、本文表示部２０および情報表示部３０の表示媒体は、電気泳動方式による表示体としたが、例えば、コレステリック液晶による表示体のような、記憶性を備えた表示体を用いても良い。
【００４２】
更に、電子ブックリーダ１への電子書籍データの転送方法は、記憶媒体１００の移し変えによる転送に限らず、ケーブルや無線を介したブックデータ記憶部１２０への転送であっても良い。
【図面の簡単な説明】
【００４３】
【図１】本発明の実施例に係る電子ブックリーダの外観上の構成を示す外観構成図。
【図２】本文表示部正面からの電子ブックリーダの外観を示す外観図。
【図３】電子ブックリーダのハードウェア構成を示すブロック図。
【図４】電子ブックリーダの機能構成を示す概略構成図。
【図５】情報表示部で表示する表示例を示す概略図。
【符号の説明】
【００４４】
１…電子ブックリーダ、１０Ａ…筐体、１０Ｂ…筐体、２０…本文表示部、３０…情報表示部、４０…操作ボタン、５０…背表紙部、１００…記憶媒体、１１０…外部記憶装置、１１１…記憶媒体ドライブ、１２０…ブックデータ記憶部、１２１…本文データ、１２２…書誌情報、１３０…本文生成部、１４０…操作入力部、１５０…制御部、１５１…ＣＰＵ、１５２…ＲＡＭ、１５３…ＲＯＭ、１５５…ＶＲＡＭ、１５６…ディスプレイコントローラ、１５７…フラッシュメモリ、１６０…操作履歴保存部、１７０…情報生成部、１８０…電池残量検出部、１８１…電池残量検出回路、１８５…筐体開閉検出部、１８６…筐体開閉検出回路、２１１，２２１，２３１…電気泳動表示体。
【図１】
2005275547.tif 000003
【図２】
2005275547.tif 000004
【図３】
2005275547.tif 000005
【図４】
2005275547.tif 000006
【図５】
2005275547.tif 000007